(57)【要約】【課題】  使用している再生装置に適したディスクの選択を可能とする。【解決手段】  ピックアップ２０がディスクＤを読み込むことで再生信号を生成し、リードアンプ３０で増幅する。増幅された再生信号と、サーボ制御部４０からの制御状態からディスクＤの品質状態を測定して測定結果Ｔを得る。コントローラ６０はこの測定結果Ｔと予め決められた各品質毎の閾値αとを比較し、測定結果Ｔが閾値αを超過する場合は、その旨をＬＥＤ等の表示部９０から表示する。これにより、ユーザが再生装置１に対するディスクＤの品質の簡易判断を可能とする。【選択図】  図１
2005158140.tif 000002
【特許請求の範囲】
【請求項１】
ディスクに照射された光ビームの反射光から再生信号を生成する信号生成手段と、
前記信号生成手段により生成された前記再生信号を基に少なくも１つの前記ディスクの品質を測定する測定手段と、
前記ディスクの品質を判断するための少なくとも１つの基準値を記憶する記憶手段と、  前記測定手段により測定された前記品質と、これに対応する前記記憶手段により記憶された前記基準値との大小を判断する判断手段と、
前記判断手段により少なくとも１つの前記品質が前記基準値より大きいと判断された場合には、エラーを表示する表示手段とを
具備することを特徴とする再生装置。
【請求項２】
前記再生装置は、光ディスク装置であることを特徴とする請求項１に記載の再生装置。
【請求項３】
前記測定手段により測定される前記品質は、ジッタ、エラーレート、訂正回数、面振れ、偏心等のディスクの記録又は再生の品質であることを特徴とする請求項１に記載の再生装置。
【請求項４】
前記表示手段はＬＥＤを用いることを特徴とする請求項１に記載の再生装置。
【請求項５】
前記表示手段は、前記判断手段において少なくとも２つの前記品質がこれに対応する前記基準値より大きいと判断された場合にエラー表示することを特徴とする請求項１に記載の再生装置。
【請求項６】
前記表示手段は、前記判断手段において前記品質がこれに対応する前記基準値より大きいと判断された数に応じて表示方法を変化させることを特徴とする請求項１に記載の再生装置。
【請求項７】
ディスクに照射された光ビームの反射光から再生信号を生成する信号生成手段と、
前記信号生成手段により生成された前記再生信号を基に少なくも１つの前記ディスクの品質を測定する測定手段と、
前記ディスクの品質を判断するための少なくとも１つの基準値を記憶する記憶手段と、  前記測定手段により測定された前記品質と、これに対応する前記記憶手段により記憶された前記基準値との大小を判断する判断手段と、
前記判断手段により少なくとも１つの前記品質が前記基準値より大きいと判断された場合には、エラーを出力する出力手段とを
具備することを特徴とする情報処理装置。
【請求項８】
前記出力手段は、ＬＥＤ又はＣＲＴ若しくはスピーカを用いることを特徴する請求項７に記載の情報処理装置。
【発明の詳細な説明】
【技術分野】
【０００１】
この発明は、再生装置に係り、特にディスクの品質を表示する再生装置に関する。
【背景技術】
【０００２】
光ディスク記録媒体として、ＤＶＤ（Ｄｉｇｉｔａｌ  Ｖｅｒｓａｔｉｌｅ  Ｄｉｓｃ）やＣＤ（Ｃｏｍｐａｃｔ  Ｄｉｓｃ）等があり、その再生装置だけでなく、記録媒体そのものも多くの製品が市場に出ている。光ディスク記録媒体メーカ各社は、記録速度や記録性能の向上などを図る開発を常に行っており、新しい光ディスク記録媒体が随時市場に投入されている。また、新たに光ディスク記録媒体事業に参入するメーカも誕生している。
【０００３】
ここでユーザは自己が使用するドライブ装置において、使用する記録媒体が適正に利用できるか否かが重要であり、当該ドライブにおいて記録媒体がいかなる品質状況であるかを知ることが重要になっている。
【０００４】
この要求に対して、全く新しいし記録媒体がドライブ装置に挿入された場合でもユーザが記録媒体の書込み速度と記録品質の関係を知った上で記録速度の設定が可能となる光ディスク装置および光ディスク記録媒体への書込み方法が提案されている（例えば、特許文献１参照）。
【特許文献１】特開２００３−１３２５４５号公報（第５頁、図１参照）
【発明の開示】
【発明が解決しようとする課題】
【０００５】
上述のように、記録媒体の品質がいかなる状況であるかを知ることはユーザにとって非常に重要なことである。しかし、例えば、単に記録媒体の書込み速度と記録品質の関係が表示されるだけでは、このような専門知識を持たないユーザがドライブ装置をどのように設定して使用すればよいかが分からないことも多い。また、仮に設定方法が分かったとしても、わざわざ設定を修正することを希望しない場合もある。
【０００６】
そこで、本発明は、ドライブでの再生中・記録中にそのディスクでの再生品位・記録品位を良し悪しをユーザが簡易に判断できるような再生装置を提供することで、ユーザが当該再生装置に適したディスクを選択できるようにすることを目的とする。
【課題を解決するための手段】
【０００７】
上記目的を達成するために、本発明の再生装置は、ディスクに照射された光ビームの反射光から再生信号を生成する信号生成手段と、前記信号生成手段により生成された前記再生信号を基に少なくも１つの前記ディスクの品質を測定する測定手段と、前記ディスクの品質を判断するための少なくとも１つの基準値を記憶する記憶手段と、前記測定手段により測定された前記品質と、これに対応する前記記憶手段により記憶された前記基準値との大小を判断する判断手段と、前記判断手段により少なくとも１つの前記品質が前記基準値より大きいと判断された場合には、エラーを表示する表示手段とを具備することを特徴としている。
【０００８】
また、本発明の情報処理装置は、ディスクに照射された光ビームの反射光から再生信号を生成する信号生成手段と、前記信号生成手段により生成された前記再生信号を基に少なくも１つの前記ディスクの品質を測定する測定手段と、前記ディスクの品質を判断するための少なくとも１つの基準値を記憶する記憶手段と、前記測定手段により測定された前記品質と、これに対応する前記記憶手段により記憶された前記基準値との大小を判断する判断手段と、前記判断手段により少なくとも１つの前記品質が前記基準値より大きいと判断された場合には、エラーを出力する出力手段とを具備することを特徴としている。
【発明の効果】
【０００９】
使用している再生装置に適したディスクの選択が可能となる。
【発明を実施するための最良の形態】
【００１０】
以下、本発明の実施の形態について図面を参照して詳細に説明する。
【００１１】
図１は本発明の実施の形態に係る再生装置の構成を示すブロック図である。この再生装置１は、ディスクＤと、ピックアップ２０と、リードアンプ３０と、サーボ制御部４０と、データ処理部５０と、コントローラ６０と、記憶部７０と、表示部９０とを主たる構成要素としている。再生装置１は、例えばＤＶＤ（Ｄｉｇｉｔａｌ  Ｖｅｒｓａｔｉｌｅ  Ｄｉｓｃ）再生装置やＣＤ（Ｃｏｍｐａｃｔ  Ｄｉｓｃ）再生装置などである。
【００１２】
ここで、ピックアップ２０は、ディスクＤとリードアンプ３０とサーボ制御部４０とに接続されている。また、リードアンプ３０は、ピックアップ２０の他にサーボ制御部４０とデータ処理部５０とコントローラ６０にも接続されている。サーボ制御部４０は、ピックアップ２０とリードアンプ３０の他にコントローラ６０にも接続されている。データ処理部５０は、リードアンプ３０の他にホスト２００等の外部機器との接続が可能となっている。コントローラ６０は、リードアンプ３０とサーボ制御部４０の他に記憶部７０と表示部９０とホスト２００とに接続されている。
【００１３】
尚、再生装置１への動作命令は、再生装置１中にリモコンや操作ボタンを設けることで実現しても良いし、ホスト２００を利用して、ユーザが再生装置１に対して動作命令を行うようにしても良い。
【００１４】
次に、各要素の構成を説明する。
【００１５】
ディスクＤは、図示しないディスクモータによって回転自在に支持された光学ディスクである。
【００１６】
ピックアップ２０は、レーザダイオードなどのレーザ光源からレーザビームを照射し、このレーザビームを対物レンズによりディスクＤの記録面に集光させ、フォーカスサーボ、トラックサーボ等の各サーボ手段による制御を行い、ディスクＤ上に記録されているデータを再生して再生信号を得る。
【００１７】
リードアンプ３０は、ピックアップ２０で得られた再生信号を増幅する。
【００１８】
サーボ制御部４０は、ピックアップ２０に対してフォーカスサーボ制御及びトラッキングサーボ制御を実現する。
【００１９】
データ処理部５０は、リードアンプ３０からの再生信号を２値化してデコードし、ホスト２００等の外部機器に出力する。
【００２０】
コントローラ６０は、再生装置１全体を制御する。即ち、サーボ制御部４０に命令を出してピックアップ２０を制御したり、サーボ制御部４０の制御状況やリードアンプ３０からの再生信号より再生装置１に対するディスクＤの品質を測定する。また、コントローラ６０は、品質判定プログラムＸに従い、ディスクＤの品質が後述する閾値αを満たしているか否かを判定する。
【００２１】
記憶部７０は、ディスクＤの品質判定を行うための品質判定プログラムＸや、この品質判定プログラムＸに利用する閾値αを記憶する。
【００２２】
表示部９０は、コントローラ６０が判定した結果を表示する。また、表示部９０はピックアップ２０がディスクＤにアクセスしている場合にはコントローラ６０からの指示によりアクセスの表示を行うようにしても良い。表示部９０は例えば、ＬＥＤ（Ｌｉｇｈｔ  Ｅｍｉｔｔｉｎｇ  Ｄｉｏｄｅ）等である。
【００２３】
次に、図２を用いて本発明の実施の形態に係る再生装置１の動作を説明する。図２は記憶部７０に格納されている品質判定プログラムＸの動作を示すフローチャートである。ここでは、図１においてホスト２００から再生装置１に動作命令を指示出来る構成において説明する。
【００２４】
まず、コントローラ６０は、再生装置１において、ディスクＤが再生されたか否かを判断する（ステップＳ１）。即ち、ユーザにより再生装置１にディスクＤがセットされ、かつ、ホスト２００からの指示により再生装置１に対して再生指示が出たか否かを判断する。
【００２５】
この結果、コントローラ６０はディスクＤの再生指示が出ていないと判断した場合は（ステップＳ１のＮｏ）、再生指示が出るまでこの判断を続けることとなる。
【００２６】
一方、コントローラ６０はディスクＤの再生指示が出たと判断したときは（ステップＳ１のＹｅｓ）、後述するディスクＤの品質測定を行い、測定結果Ｔを得る。（ステップＳ２）。
【００２７】
ここで、再生指示が出た場合の再生装置１の動作を説明する。
【００２８】
ユーザからのディスクＤの再生指示が出ると、コントローラ６０はサーボ制御部４０にピックアップ２０の制御命令を出す。ピックアップ２０は、レーザダイオードなどのレーザ光源からレーザビームを照射し、ディスクＤを駆動させて再生信号を得て、この再生信号をリードアンプ３０に送出する。リードアンプ３０は受信した再生信号を増幅し、サーボ制御部４０とデータ処理部５０とコントローラ６０に送出する。
【００２９】
ここで、サーボ制御部４０は、受信した再生信号を用いて、フォーカスサーボ制御用のフォーカスエラー信号を生成し、かつ、このフォーカスエラー信号が０となるように、ピックアップ２０の駆動を制御する。
【００３０】
また、サーボ制御部４０は、受信した再生信号を用いて、トラッキングサーボ制御用のトラッキングエラー信号を生成し、直流分の制御によってトラッキングバランスを調整した後、このトラッキングエラー信号が０となるように、ピックアップ２０の駆動を制御する。
【００３１】
一方、ピックアップ２０は、サーボ制御部４０に制御されて、集光スポットをフォーカシング方向に移動させて良好なフォーカスを得るように駆動し、かつ、集光スポットをトラッキング方向に移動させて良好なトラッキングを得るように駆動する。
【００３２】
既述のように、ピックアップ２０からの再生信号はリードアンプ３０を介してデータ処理部５０にも与えられる。データ処理部５０は受信した再生信号を波形等化した後２値化する。また、この２値化信号に対して記録時の変調方式に対応した復調処理を施して再生データを作成し、これをホスト２００へ出力する。
【００３３】
また、既述のようにピックアップ２０の再生信号はリードアンプ３０を介してコントローラ６０にも供給される。
【００３４】
コントローラ６０では、後述するジッタの検出結果及びエラー検出結果の少なくとも一方の情報を用いて、最適トラッキングバランス値を算出する。コントローラ６０は、算出したトラッキングバランス値を記憶部７０に与えて記憶させると共に、記憶部７０から読み出したトラッキングバランス値を用いてサーボ制御部４０を制御するためのＤＣオフセット制御信号を発生するようになっている。
【００３５】
このようにサーボ制御部４０は、ピックアップ２０からの再生信号受信状況を把握してピックアップ２０を制御する。また、データ処理部５０は、ピックアップ２０からの２値化されたデータをデコードし、例えばホスト２００等の外部機器に出力する。
【００３６】
次に、ディスクＤの品質測定について説明する。
【００３７】
コントローラ６０は、サーボ制御部４０からのサーボ状況やリードアンプ３０からの再生信号を受信し、これらの情報からディスクＤの品質を測定して測定結果Ｔを得る。
【００３８】
ここで、品質測定とはジッタ、エラーレート、訂正回数、面振れ、偏心などの再生装置１に対するディスクＤの再生品質を言う。
【００３９】
即ち、ピックアップ２０の出力（再生信号）は、ピットの規則性に従った周波数エンベロープを有する。コントローラ６０は、例えば、ピックアップ２０からの再生信号の周波数エンベロープのずれから、再生信号に生じるジッタを検出する。また、コントローラ６０では再生データに含まれるエラーを検出する。
【００４０】
また、サーボ制御部４０におけるフォーカスの状況から面振れが計測でき、トラッキングからは偏心が計測できる。
【００４１】
さて、図２のフローチャートの説明に戻る。
【００４２】
コントローラ６０がディスクＤの品質を測定した後は、次に、コントローラ６０は測定結果Ｔと閾値αとを比較する（ステップＳ３）。ここで閾値αとは、予め記憶部７０に設定しておくディスクＤの品質の基準値である。この基準値を満たさないものは再生装置１に対しては良くない品質状態にあると言える。従って、この閾値αは、少なくともジッタ、エラーレート、訂正回数、面振れ、偏心などの計測される各測定結果Ｔの数だけ存在することとなる。
【００４３】
即ち、コントローラ６０は、ジッタの測定結果Ｔとジッタの閾値αとの比較、エラーレートの測定結果Ｔとエラーレートの閾値αとの比較というように、各測定結果毎に比較を行う。
【００４４】
この結果、コントローラ６０は全ての比較結果において測定結果Ｔが閾値αを下回っていると判断した場合（ステップＳ３のＮｏ）、本実施の形態に係る再生装置１の動作は終了する。
【００４５】
一方、コントローラ６０は１つでも測定結果Ｔが閾値αを超えていると判断した場合（ステップＳ３のＹｅｓ）、コントローラ６０は表示部９０に対しエラー表示命令を送出する（ステップＳ４）。
【００４６】
この命令を受信した表示部９０は、表示部９０自身の表示をエラーモードで表示するように制御する。ここでエラーモードとは、例えば表示部９０がＬＥＤの場合、その表示を点滅させたり、色を変えたりするなど、記述したピックアップ２０へのアクセス時の表示とは異なる表示でＬＥＤを表示させることを言う。
【００４７】
これにより、従来はユーザが認識することが出来なかったディスクＤの品質情報を、品質情報という文字の羅列で表示するのではなく、ＬＥＤの点滅等で表示させることとなる。これにより専門知識が無い一般ユーザでもディスクＤの品質状態の簡易判断を行うことが可能である。従って、ユーザが製造メーカや型番が異なる複数のディスクを有していた場合に、その幾つかを再生装置１で再生させることで再生装置１に適したディスクのメーカや型番は何かを把握することが出来、再生装置１に適したディスクＤを選択することが可能となる。
【００４８】
また、本発明は、従来から多くの再生装置が備えているＬＥＤ等の表示部９０を利用してディスクＤの品質状態をユーザに知らせることが可能であり、低コストで本発明が実施できるというメリットもある。
【００４９】
尚、本実施の形態ではディスクＤはＤＶＤやＣＤを例にとり説明してきたが、本発明はこれに限ることなく、媒体の品質状態を検出できるものであれば、例えば磁気ディスク等の他のメディアであっても良い。
【００５０】
また、本実施の形態では、ディスクＤの再生時にディスクＤの品質の結果を測定する構成としているが、本実施の形態は再生時に限定されず、ディスクＤへの記録機能を持った装置において、その記録時にディスクＤの品質の結果を測定してこれを表示部９０から表示させるような構成としても良い。
【００５１】
更に表示部９０はＬＥＤを例とったが、本発明はこれに限定されず、ＣＲＴ（Ｃａｔｈｏｄｅ  Ｒａｙ  Ｔｕｂｅ）等に表示させても良い。
【００５２】
（本発明の実施の形態の変形例）
上述した実施の形態において、ステップＳ３はディスクＤの各品質における測定結果Ｔと閾値αとを比較して１つでも測定結果Ｔが閾値αを超えた場合には表示部９０からディスクＤの品質結果を表示させるようにしていた。従って、例えば、ジッタ、エラーレート、訂正回数、面振れ、偏心の５つのディスクＤの品質測定の結果、ジッタのみが閾値αを超えた場合にもステップＳ４の処理を行っていた。
【００５３】
本変形例は、これに限定されず、ステップＳ３の判定で、いずれか２つ又は３つ等、複数個の品質が閾値αを超えた場合にステップＳ４の処理をするように構成しても良い。
【００５４】
また、閾値αを超過した品質の数ではなく、例えば、ジッタの測定結果Ｔがジッタの閾値αを超過した場合は、たとえ超過した品質の数が１つだけでも、ステップＳ４の処理を行うようにするなど、各品質に重み付けを行い、その重み付けの結果を基にステップＳ４の処理を行わせるようにしても良い。
【００５５】
これによっても、従来はユーザが認識することが出来なかったディスクＤの品質情報を、品質情報という文字の羅列で表示するのではなく、ＬＥＤの点滅等で表示させることとなる。これにより専門知識が無い一般ユーザでもディスクＤの品質状態の簡易判断を行うことが可能である。従って、ユーザが製造メーカや型番が異なる複数のディスクを有していた場合に、その幾つかを再生装置１で再生させることで再生装置１に適したディスクのメーカや型番は何かを把握することが出来、再生装置１に適したディスクＤを選択することが可能となる。
【００５６】
また、本発明は、従来から多くの再生装置が備えているＬＥＤ等の表示部９０を利用してディスクＤの品質状態をユーザに知らせることが可能であり、低コストで本発明が実施できるというメリットもある。
【００５７】
（本発明の実施の形態の他の変形例）
上述のように、本発明はディスクＤの測定結果ＴをＬＥＤ等の表示部９０で表示をすることで、再生装置に適したディスクの選択が可能としている。従って、本実施の形態の変形例として図３に示すようにホストの中に再生装置１を組み込んだホスト２０１であっても良い。
【００５８】
即ち、ホスト２０１は、ＲＯＭ（Ｒｅａｄ  Ｏｎｌｙ  Ｍｅｍｏｒｙ）２０２と、ＣＰＵ（Ｃｅｎｔｒａｌ  Ｐｒｏｃｅｓｓｉｎｇ  Ｕｎｉｔ）２０３と、ＲＡＭ（Ｒａｎｄｏｍ  Ａｃｃｅｓｓ  Ｍｅｍｏｒｙ）２０４の他に、上述した再生装置１と、出力部９１を備えている。ここで、出力部９１は表示部９０と同様にＬＥＤ等である。また、ホスト２０１は情報処理装置などである。
【００５９】
このように、再生装置１では、表示部９０がディスクＤの品質結果を表示していたが、ＣＰＵ２０３を介して出力部９１でディスクＤの品質の結果を表示するようにしても良い。
【００６０】
これにより、従来はユーザが認識することが出来なかったディスクＤの品質情報を、品質情報という文字の羅列で表示するのではなく、ＬＥＤの点滅等で表示させることとなる。これにより専門知識が無い一般ユーザでもディスクＤの品質状態の簡易判断を行うことが可能である。従って、ユーザが製造メーカや型番が異なる複数のディスクを有していた場合に、その幾つかを再生装置１で再生させることで再生装置１に適したディスクのメーカや型番は何かを把握することが出来、再生装置１に適したディスクＤを選択することが可能となる。
【００６１】
また、本発明は、従来から多くの再生装置が備えているＬＥＤ等の表示部９０を利用してディスクＤの品質状態をユーザに知らせることが可能であり、低コストで本発明が実施できるというメリットもある。
【００６２】
（本発明の実施の形態の他の変形例）
上述した実施の形態において、ステップＳ３はディスクＤの各品質における測定結果Ｔと閾値αとを比較して１つでも測定結果Ｔが閾値αを超えた場合には表示部９０からディスクＤの品質結果を表示させるようにしていた。
【００６３】
本変形例では、このＬＥＤの表示を段階的に分けても良い。即ち、ステップＳ３の判断で、測定結果Ｔが閾値αを超えた数が、１つの場合と２つの場合と３つの場合などでＬＥＤの点滅の速さを変える等、その表示方法を変えるようにしても良い。
【００６４】
これによっても、ユーザが製造メーカや型番が異なる複数のディスクを有していた場合に、情報処理装置２０１により適したディスクのメーカや型番は何かを把握することが出来、再生装置１に適したディスクＤを選択することが可能となる。
【図面の簡単な説明】
【００６５】
【図１】本発明の実施の形態に係る再生装置の構成を示すブロック図。
【図２】品質判定プログラムＸの動作を示すフローチャート。
【図３】本発明の実施の形態に係る情報処理装置の構成を示すブロック図。
【符号の説明】
【００６６】
１  再生装置
２０  ピックアップ
３０  リードアンプ
４０  サーボ制御部
５０  データ処理部
６０  コントローラ
７０  記憶部
９０  表示部
９１  出力部
２００，２０１  ホスト
２０２  ＲＯＭ
２０３  ＣＰＵ
２０４  ＲＡＭ
Ｄ  ディスク
Ｔ  測定結果
Ｘ  品質判定プログラム
α  閾値
【図１】
2005158140.tif 000003
【図２】
2005158140.tif 000004
【図３】
2005158140.tif 000005